(57)【要約】【課題】  消費電力を常時入電の状態より下げつつ、電源を投入したときにデジタル放送受信モジュールの電源が投入起動され、映像音声が出力されるまでの、あるいはＥＰＧデータを取得するまでに発生する待ち時間を短縮し利便性のよいテレビジョン放送受信装置を提供する。【解決手段】  デジタル放送受信を行うテレビジョン放送受信装置１２において、電源投入及び切断の操作、時刻をリモコン受信部６、フロンスイッチ部７、時計８より取得する。デジタル放送受信モジュール３内に設けたＣＰＵ４は、これら操作の履歴から電源投入予測時刻を算出しこの電源投入予測時刻に基づき、デジタル放送受信モジュール用電源５を制御するようにしている。【選択図】      図１
2005191815.tif 000002
【特許請求の範囲】
【請求項１】
番組情報が付加されたデジタル放送を受信し、前記番組情報を取得する番組情報取得手段と前記番組情報取得手段の電源部と装置本体の電源部とを有するテレビジョン放送受信装置であって、
前記テレビジョン放送受信装置内に有する時刻発生手段より時刻情報を検出する時刻検出手段と、
前記時刻検出手段より得られた時刻情報とユーザによる前記テレビジョン放送受信装置本体の電源部の電源投入操作情報とにより電源投入操作毎の時刻を取得する電源投入時刻取得手段と、
前記取得された電源投入時刻を累積記憶するための記憶手段と、
前記記憶手段に記憶された前記電源投入時刻から前記ユーザの視聴時刻傾向を算出し次回の電源投入時刻を予測する電源投入時刻予測手段と、
を有し、前記電源投入時刻予測手段により予測した時刻に前記テレビジョン放送受信装置本体の電源部のオン・オフにかかわらず前記番組情報取得手段の電源部をオン状態に制御するようにしたことを特徴とするテレビジョン放送受信装置。
【発明の詳細な説明】
【技術分野】
【０００１】
本発明はテレビジョン放送を受信するテレビジョン放送受信装置に関し、特に、テレビジョン放送受信装置の起動時間を短縮するための技術に関する。
【背景技術】
【０００２】
デジタル放送用テレビジョン信号にはＥＰＧ（Electronic Program Guide）と呼ばれるテレビ番組表が付加されており、番組内容紹介や、出演者やジャンルによる番組検索、簡単録画予約など、ＥＰＧを利用してユーザの利便性を向上するものが提案されている（例えば、特許文献１参照、。）。
【０００３】
上述の特許文献１では、ユーザが視聴した日付け、時刻の情報を蓄積しユーザの視聴履歴の傾向を算出して、このユーザの視聴履歴を基に自動録画録あるいは録画予約の操作を簡素化するテレビジョン放送受信装置が提案されている。
【０００４】
【特許文献１】特開平５−６２２８３号公報
【発明の開示】
【発明が解決しようとする課題】
【０００５】
ところで、デジタル放送用テレビジョン放送受信装置には、ＥＰＧデータ取得等のデジタル放送受信に必要な動作を行うため、テレビジョン放送受信の制御を行うテレビマイコンとは独立に、専用のデジタル放送受信用マイコンが搭載されている。このデジタル放送受信用マイコンは、テレビマイコンからの指令を受けデジタル放送受信部分の制御を行うと共に、通常テレビが映っていないときにはデジタル放送受信部分に電源を入れておく必要はないので、デジタル放送受信用マイコンはテレビマイコンからＯＮ／ＯＦＦの制御がが行われる。
【０００６】
今、ユーザがデジタル放送を視聴するために、テレビジョン放送受信装置の電源を入れたとする（ここで「電源を入れる」とはリモコンで電源をＯＮすることを指す）。テレビマイコンはリモコン受信部からの信号で電源がＯＮされたことを察知し、テレビジョン放送受信装置の起動を行うと共に、デジタル放送受信用マイコンを起動させ、デジタル放送受信システムを起動し、受信した画像及び音声を出力できるようすると共に、ＥＰＧデータ取得を行うことができるようにしている。
【０００７】
現在、デジタル放送受信装置において、システムのオペレーティングシステムとしてＬｉｎｕｘの採用が進んでいる。Ｌｉｎｕｘは無料であり、大規模なソフトウェアの設計に向く利点が存在する。しかし、Ｌｉｎｕｘは起動時間が従来のＯＳよりも長く、電源投入からシステムが定常状態になるまでに数十秒必要である。そのため従来方式では、電源投入からデジタル放送の画面が表示されるまでに時間がかかり、アナログ放送受信装置と比較するとタイムラグが大きく、ユーザが不快に感じるという問題点があった。
また、電源投入直後はデジタル放送で送信されてくるＥＰＧ情報などの付加情報の最新のものが十分に取得されてなく、電源を投入してデジタル放送受信システムが動作し始めてからさらに所得のための時間が必要になるため、最新の情報を閲覧できるのにさらに時間を要するという問題があった。
電源を投入してデジタル放送受信システムが動作し始めてからさらに所得のための時間が必要になるという問題は、システム起動手順に起因するので、ＯＳにＬｉｎｕｘ以外のものを用いても解決できないものである。
【０００８】
これらの問題は、デジタル放送受信システムを常時入電しておく方式では原理的には発生しない。しかしながら、デジタル放送受信システムは消費電力量が大きく、待機時間が長時間に及ぶ場合にもデジタル放送受信システムを常時入電しておくことにより消費電力が増加してしまい、新たな問題を発生してしまう。
【０００９】
本発明は、以上の点に鑑みなされたもので、消費電力を常時入電の状態より下げつつ、電源を投入したときにデジタル放送受信モジュールの電源が投入起動され、映像音声が出力されるまでの、あるいはＥＰＧデータを取得するまでに発生する待ち時間を短縮し利便性のよいテレビジョン放送受信装置を提供することを目的とする。
【課題を解決するための手段】
【００１０】
本発明は、上記課題を解決するために、以下に記載の手段よりなる。
すなわち、
番組情報が付加されたデジタル放送を受信し、前記番組情報を取得する番組情報取得手段と前記番組情報取得手段の電源部と装置本体の電源部とを有するテレビジョン放送受信装置であって、
前記テレビジョン放送受信装置内に有する時刻発生手段より時刻情報を検出する時刻検出手段と、
前記時刻検出手段より得られた時刻情報とユーザによる前記テレビジョン放送受信装置本体の電源部の電源投入操作情報とにより電源投入操作毎の時刻を取得する電源投入時刻取得手段と、
前記取得された電源投入時刻を累積記憶するための記憶手段と、
前記記憶手段に記憶された前記電源投入時刻から前記ユーザの視聴時刻傾向を算出し次回の電源投入時刻を予測する電源投入時刻予測手段と、
を有し、前記電源投入時刻予測手段により予測した時刻に前記テレビジョン放送受信装置本体の電源部のオン・オフにかかわらず前記番組情報取得手段の電源部をオン状態に制御するようにしたことを特徴とするテレビジョン放送受信装置。
【発明の効果】
【００１１】
本発明の「テレビジョン放送受信装置」によれば、テレビジョン放送受信装置に常時入電している場合と比較して、消費電力の削減を行い電源投入時に画像が表示されるまでの時間が常時入電を行っている場合と差がない時間まで短縮され、ユーザの利便性がよいテレビジョン放送受信装置を提供することができる。
また、本発明は、簡素な回路構成でテレビジョン放送受信装置の起動時間を短縮することができ、ユーザの利便性がよいテレビジョン放送受信装置を提供することができる。
【発明を実施するための最良の形態】
【００１２】
以下、本発明に係るテレビジョン放送受信装置の発明を実施するための最良の形態につき、好ましい実施例により説明する。
図１は本実施例に適用されるテレビジョン放送受信装置の構成を示した概略ブロック図である。同図に示すようにテレビジョン放送受信装置１２は、時計８、リモコン受信部６、フロンスイッチ部７、テレビマイコン１、デジタル放送受信モジュール３、ＣＰＵ４、２次記憶装置１１、テレビマイコン用電源２、デジタル放送受信モジュール用電源５、ディスプレーデバイス９、オーディオデバイス１０から構成されている。
【００１３】
テレビジョン放送受信装置１２を制御するコントローラは、テレビ全体を司るテレビマイコン１と、デジタル放送受信モジュール３に装備されたＣＰＵ４の２つに分けられる。テレビマイコン１は、リモコン受信部６やフロンスイッチ部７からの信号、つまりユーザからの操作に対しテレビの各部分に様々な制御を行う。特にリモコン受信部６からの電源の信号を受けられるようにするため、テレビマイコン用電源２は常にテレビマイコンに電源を供給する。つまりテレビマイコンはテレビジョン放送受信装置１２をコンセントに接続すると同時に動作をはじめる。
【００１４】
一方、デジタル放送受信モジュール３には専用のＣＰＵ４が搭載されている。このＣＰＵ４は、テレビマイコン１からの指令を受け、デジタル放送受信モジュール３の制御を行うと共に、ＥＰＧデータ取得等のデジタル放送受信に必要な動作をテレビマイコン１とは独立に行う。また通常テレビが映っていない場合、デジタル放送受信モジュール３は電源を入れておく必要はなく、デジタル放送受信モジュール用電源５はテレビマイコン１からＯＮ／ＯＦＦ制御が行われる。
【００１５】
今、ユーザがデジタル放送を視聴するために、テレビジョン放送受信装置１２の電源を入れたとする（ここで「電源を入れる」とはリモコンで電源をＯＮすることを指す）。テレビマイコン１はリモコン受信部６からの信号で電源がＯＮされたことを察知し、ディスプレーデバイス９やオーディオデバイス１０の起動を行うと共に、デジタル放送受信モジュール用電源５をＯＮにしてデジタル信号受信モジュール３の起動を行う。デジタル信号受信モジュール３は電源投入に対応し、デジタル信号受信システムを起動し、受信した画像／音声を出力できるようにする。さらにテレビマイコン１からチャンネル選局などの更なる指令に応じて処理を行う。
【００１６】
一方、デジタル放送受信モジュール３もテレビマイコン１と同様に、テレビジョン放送受信装置１２をコンセントに接続すると同時に常に電源が入るようなシステム構成としてもよい。この場合、リモコンでテレビの電源ＯＮの指令に対し、テレビマイコン１はデジタル放送受信モジュール３に対して電源投入の処理を行う必要はない。
【００１７】
図１において、時計８は現在時刻を保持するために使用される。デジタル放送受信を行うテレビジョン放送受信装置１２において、現在時刻はデジタル放送を通じて取得できるため、デジタル放送を正常に受信している限り現在時刻は、デジタル放送受信モジュール３からテレビマイコン１が情報を取得し、時計８に時刻設定することで正確な時刻を保持することができる。また、時計８はテレビマイコン用電源２で動作しているため、テレビジョン放送受信装置１２の電源を待機状態にしている場合でも通電されている。
【００１８】
図２に電源投入予測時刻取得の概略ブロック図を示し、電源投入予測時刻を取得する動作について説明する。テレビジョン放送受信装置１２に電源投入あるいは切断の操作が行われると、現在時刻取得手段１００ａにより電源投入あるいは切断の時刻を確定する。各々の時刻は、受信装置電源投入時刻記録手段１００ｂ及び受信装置電源切断時刻記録手段１００ｃにより電源投入時刻予測手段に供給される。ユーザがテレビジョン放送受信装置１２を視聴するたびにこれらの動作を行い電源投入予測時刻が算出される。電源投入予測時刻が算出されると、この時刻を基にデジタル放送受信モジュール自動電源投入手段１００ｆにより自動的にデジタル放送受信モジュール３の電源を投入する。受信装置電源投入確認手段１００ｅは、所定時間経過を現在時刻取得手段１００ａにより取得して、テレビジョン放送受信装置１２に電源投入の操作が行われていない場合は、デジタル放送受信モジュール自動電源切断手段１００ｇにより自動的にデジタル放送受信モジュール３の電源を切断させる。
【００１９】
以下、さらに詳細に電源投入予測時間取得、及び取得後の制御について説明する。
まず、図３のシーケンス図を用いて、通常ユーザが電源を投入する場合（電源投入予測時間取得）の動作について説明する。ユーザがテレビジョン放送受信装置１２の電源スイッチをＯＮすると、リモコン受信部６あるいはフロントスイッチ部７から電源投入の信号を受けたテレビマイコン１は、デジタル放送受信モジュール用電源５をＯＮすることで、デジタル方送受信モジュール３の電源を投入すると共に、時計８から時刻を取得する。取得した時刻情報は、デジタル信号受信モジュール３のデジタル放送受信システムが定常動作をはじめた後、デジタル信号受信モジュール３内のＣＰＵ４に供給され、さらにデジタル信号受信モジュール３と接続されている２次記憶装置１１に保存される。
【００２０】
また、ユーザがテレビジョン放送受信装置１２の電源をＯＦＦすると、リモコン受信部６あるいはフロントスイッチ部７から電源切断の信号をうけたテレビマイコン１は、時計８から時刻を取得する。取得した時刻は、デジタル信号受信モジュール３内のＣＰＵ４に供給される。ＣＰＵ４では２次記憶装置１１に記録された電源投入時刻と、供給された電源切断時刻から、次にユーザが電源を投入するであろう時刻を予測する。予測した時刻はテレビマイコン１に供給された後、テレビマイコン１は、デジタル信号受信モジュール３の電源をＯＦＦする。
【００２１】
次に、図４のシーケンス図を用いて、テレビジョン放送受信装置１２が電源投入予測時刻に電源を投入する場合の動作について説明する。テレビマイコン１は、電源投入予測時刻になると、デジタル信号受信モジュール３の電源を投入する処理を行うため、テレビジョン放送受信装置１２の電源が既に投入されているかどうかをチェックする。電源未投入の場合は、デジタル放送受信モジュール３の電源を投入する。テレビジョン放送受信装置１２の電源が投入された場合には、テレビマイコン１はデジタル放送受信モジュール３の電源が既に投入されているかどうかを調べる。既に投入されている場合は、デジタル放送受信モジュール３の電源を投入する過程をスキップする。
【００２２】
また、テレビマイコン１は、電源投入予測時刻よりある一定以上の時間が経過してもテレビジョン放送受信装置１２の電源が入れられることがなかった場合、デジタル信号受信モジュール３に、電源投入がなかったことを通知して、次の電源投入予測時刻を要求する。デジタル信号受信モジュール３はテレビマイコン１に予測時刻を通知する。電源投入予測時刻を通知されたテレビマイコンはデジタル信号受信モジュール３の電源を切断する。
【００２３】
次に、図５に操作履歴の一例をあげ、これを基に時刻予測手法を説明する。テレビマイコン１より与えられた現在時刻（電源切断時刻）から２４時間戻した時刻から一番近い未来の時刻を求める。その時刻から２４時間進めた時間が、電源投入予測時刻となる。現在時刻は、７月９日２２時３２分なので、２４時間戻した時刻から一番近い未来は、７月９日６時１１分となる。これから、電源投入予測時刻となるのは７月１０日６時１１分である。
【００２４】
また別方法として、現在時刻から、４８時間・７２時間戻した時刻から一番近い未来をもとめ、２４時間戻した時刻から一番近い未来の時間とともに、時刻だけ抜き出す。その時刻の内一番早い時刻で２４時間以内のものが電源投入予想時刻とする方法とする。この場合、予想時刻は、７月１０日５時４８分となる。
予測手段は、上述の方法に限らず他の方法、例えば曜日の情報を優先して用いる構成としてもよい。また、何通りか用意しておきユーザが選択可能である構成としてもよい。
さらに、予測に失敗した場合には、予測に成功した場合の情報に基づいて予測手段手法を調整するように構成してもよい。
【００２５】
デジタル信号受信モジュール３に電源を投入する時刻であるが、電源投入予測時刻よりさらに若干電源投入時刻を早めて、電源投入予測時刻までにデジタル放送のＥＰＧなどのデータを取得するように構成してもよい。この場合、デジタル放送受信モジュール３は起動直後から電源投入予測時刻までの間にデジタル放送の各チャンネルからデータを収集することができるのでさらに利便性が向上する。
【００２６】
デジタル信号受信モジュール３は、テレビジョン放送受信装置１２に一体の構成でも、別筐体で構成されるいわゆるセットトップボックスとして構成してもよい。
【００２７】
上述のように本発明の目的は、消費電力を常時入電の状態より下げつつ、電源スイッチを押したときにデジタル放送受信モジュールの電源が投入される時に発生する待ち時間をできるだけ削減することにある。現在のＬｉｎｕｘＯＳでは起動時間の短縮には限度が存在するため、リモコンで電源を投入してからデジタル放送受信モジュールの電源を投入したのでは電源投入からテレビジョン放送受信装置に番組が表示されるまでのタイムラグがユーザに知覚されてしまう。そのため、電源投入予測時刻を算出して、ユーザが電源スイッチを押す前にデジタル放送受信モジュールの電源が投入される手段を提供している。
従って、Ｌｉｎｕｘ以外のＯＳに用いてもよい。また、テレビジョン放送受信装置に限らずユーザが使用する時刻に規則性が見られる他の機器に対して用いてもよい。
【図面の簡単な説明】
【００２８】
【図１】本実施例に適用されるテレビジョン放送受信装置の構成を示した概略ブロック図である。
【図２】本実施例に適用される電源投入予測時刻取得の構成を示した概略ブロック図である。
【図３】本実施例に適用されるテレビジョン放送受信装置の電源投入予測時間を取得する動作手順について説明した図である。
【図４】本実施例に適用されるテレビジョン放送受信装置が電源投入予測時刻に基づき電源を投入する動作手順について説明した図である。
【図５】本実施例に適用されるテレビジョン放送受信装置の操作履歴の一例を示した図である。
【符号の説明】
【００２９】
１…テレビマイコン
２…テレビマイコン用電源
３…デジタル放送受信モジュール
４…ＣＰＵ
５…デジタル放送受信モジュール用電源
６…リモコン受信部
７…フロンスイッチ部
８…時計
９…ディスプレーデバイス
１０…オーディオデバイス
１１…２次記憶装置
１２…テレビジョン放送受信装置
【図１】
2005191815.tif 000003
【図２】
2005191815.tif 000004
【図３】
2005191815.tif 000005
【図４】
2005191815.tif 000006
【図５】
2005191815.tif 000007